(57)【要約】
【課題】きらびやかさ及び華やかさ、そして何よりも楽しさに富み、家庭において手軽に楽しめる正月飾りを提供する。
【解決手段】電飾リング１１を配設したことを特徴とする。正月飾り１０として輪しめ縄１０Ａを使用し、前記電飾リング１１を輪しめ縄１０Ａのリング内に配設し、前記電飾リング１１の電飾部２０のスイッチ部３１を押圧することによって当該電飾部２０が光を放つように構成する。また、正月飾り１０としては卓上門松も使用することができ、前記電飾リング１１を門松の正面に配設する。
【選択図】図１
0003099228.tif 000002
【実用新案登録請求の範囲】
【請求項１】
　電飾リングを配設したことを特徴とする正月飾り。
【請求項２】
　正月飾りが輪しめ縄である請求項１に記載の正月飾り。
【請求項３】
　電飾リングが輪しめ縄のリング内に配設された請求項２に記載の正月飾り。
【請求項４】
　正月飾りが卓上門松である請求項１に記載の正月飾り。
【請求項５】
　電飾リングが発光部を有する電飾部とリング部よりなり、前記発光部がスイッチの操作により点滅する請求項１ないし４のいずれか１項に記載の正月飾り。
【考案の詳細な説明】
【技術分野】
【０００１】
　この考案は、正月飾りに関し、特には、電飾リングを配設したものに関する。
【背景技術】
【０００２】
　従来、古くからの伝承として、正月を迎えるにあたり、各家庭において、しめ縄、門松等の正月飾りが飾られている。例えば、輪しめ縄としては、藁等を束ねて紐体としたものを編み、これをリング状とし、扇、稲穂、飾り用の藁等を備え付けたものがある。
【０００３】
　しかしながら、従来の正月飾りにあっては、素材及び形状等が画一的であり、きらびやかさや華やかさに欠けるものであった。
【０００４】
　ところで、日常生活用品、遊具等の中には、電飾部品が設けられることによって発光機能を有するものも一般に見られる。本考案者らは、古くから伝承されてきた正月飾りに電飾部品を配設させることにより、発光機能を有し、変化に富み、現代にふさわしいきらびやかな正月飾りを創作するに至った。
【考案の開示】
【考案が解決しようとする課題】
【０００５】
　この考案は、このような状況に鑑みなされたもので、きらびやかさ及び華やかさ、そして何よりも楽しさに富み、家庭において手軽に楽しめる正月飾りを提供しようとするものである。
【課題を解決するための手段】
【０００６】
　請求項１の考案は、電飾リングを配設したことを特徴とする正月飾りに係る。
【０００７】
　また、請求項２の考案は、正月飾りが輪しめ縄である請求項１に記載の正月飾りに係る。
【０００８】
　請求項３の考案は、電飾リングが輪しめ縄のリング内に配設された請求項２に記載の正月飾りに係る。
【０００９】
　請求項４の考案は、正月飾りが卓上門松である請求項１に記載の正月飾りに係る。
【００１０】
　請求項５の考案は、電飾リングが発光部を有する電飾部とリング部よりなり、前記発光部がスイッチの操作により点滅する請求項１ないし４のいずれか１項に記載の正月飾りに係る。
【考案の効果】
【００１１】
　この考案の正月飾りによれば、電飾リングが配設されたものであるため、光を放ち、きらびやかさや華やかさに富み、使用者が明るく楽しい気分で正月を迎えることができる。また、この考案の正月飾りは、古くから伝承され画一的なものであった従来品に電飾という全く異なった現代の技術が加えられ一体となったものであるため、他の同種の商品から差別化を図ることができる。さらに、請求項５の考案のように、電飾リングの発光部がスイッチの操作により点滅するものとすれば、使用者の好きな時に前記電飾リングを点滅させることができる。
【考案を実施するための最良の形態】
【００１２】
　以下添付の図面に従ってこの考案を詳細に説明する。
　図１はこの考案の一実施例に係る正月飾りの正面図、図２は図１の正月飾りの要部の分解斜視図、図３はこの考案の正月飾りの他の実施例を示す正面図、図４はこの考案の正月飾りのさらに別の実施例を示す正面図である。
【００１３】
　図１はこの考案の一実施例に係る正月飾り１０（１０Ａ）を示したものである。この正月飾り１０Ａは、電飾リング１１が配設されており、前記電飾リング１１の電飾部２０が光を放つように構成されている。したがって、この正月飾り１０（１０Ａ）は、例えば、大晦日から元日にかけて前記電飾部２０に発光させる等、使用者によりいっそう楽しい気分で正月を迎えさせることができる。前記電飾リング１１は、請求項５の発明として規定したように、後述する発光部２８を有する電飾部２０とリング部４０よりなり、前記発光部２８がスイッチの操作により点滅するように構成されている。この実施例では、前記電飾部２０のスイッチ部３１を押圧することにより電飾部２０の発光部２８が点滅し、前記スイッチ部３１を再度押圧することにより発光部２８が消灯するように構成されており、使用者が好きな時に光を点滅させることができる。
【００１４】
　前記正月飾りは請求項２に規定し図１に図示したように輪しめ縄１０Ａとすることができ、実施例では、しめ縄１２の両端が扇１３の裏側において針金により固定されてリング状となっている。前記しめ縄１２の素材としては、特に限りはなく、藁、麻、プラスチック等が使用される。そして、請求項３に規定したように、電飾リング１１が輪しめ縄１０Ａのリング内に配設されており、図１から理解されるように前記電飾リング１１の円周が輪しめ縄１０Ａのリングの円周よりも内側となるように配置されている。図では、前記電飾リング１１は、扇１３の裏側において前記しめ縄１２とともに針金等よりなる紐部材１４が巻き付けられることにより当該しめ縄１２に固定されている。この紐部材１４は、前記輪しめ縄１０Ａを玄関、壁等に飾り付けるときに当該輪しめ縄１０Ａを玄関、壁等に固定するために用いられる。図の符号３０は電飾カバー体である。
【００１５】
　前記電飾リング１１は、光を放つ電飾部２０とリング部４０よりなる。前記電飾部２０は、この実施例では、図２の拡大した分解斜視図に示すように、回路部２１、押圧部材２４、電源部２７、発光部２８、及びこれらを覆うプラスチック製の電飾カバー体３０より構成される。押圧部材２４は、実施例では、ゴム等よりなる弾性部材で、裏面２５の中央部分に金属性樹脂２６を収容している。前記電飾カバー体３０のスイッチ部３１を押圧することにより、前記回路部２１の表面２２に配置された押圧部材２４が押圧変形され、当該押圧部材２４の裏面２５の金属性樹脂２６が回路部２１に接触すると、前記回路部２１の両端に固定された発光部２８が点滅するようになっている。実施例では、発光部２８として発光ダイオードを使用し、回路部２１として前記発光ダイオードを点滅させることができる公知の点滅回路を使用しており、一度スイッチ部３１を押圧すると発光部２８（発光ダイオード）が点滅し、再度スイッチ部３１を押圧すると発光部２８（発光ダイオード）が消灯するように構成されているが、これに限定されない。前記電源部２７は、前記回路部２１の裏面２３に配設されており、実施例ではボタン電池を使用しているが、これに限られるわけではない。
【００１６】
　前記リング部４０は、円形断面を有する略円形状のリングで、リング端部４１の空洞部分に前記電飾部２０の発光部２８が収容されている。そして、前記発光部２８が前記リング端部４１に収容された状態で当該発光部２８全体が覆われるように前記電飾カバー体３０が被せられている。前記リング部４０は、この実施例では、前記電飾カバー体３０と同様にプラスチック製であるがこれに限定されない。また、断面形状も円形に限定されない。さらに、前記リング部４０の色は、赤、青、黄色等、何色でもよく、電飾カバー体３０と同色、発光部２８の光の色と同色、あるいは扇１３の色に合わせる等、適宜変更してもよい。
【００１７】
　図３は、この正月飾りの他の実施例を示したものである。この正月飾り１０（１０Ｂ）は、図から理解されるように稲穂１５、藁１６が備えられた輪しめ縄であり、前出の図１の実施例と同様に当該輪しめ縄１０Ｂのリング内に前記電飾リング１１が配設されている。なお、図３において、図１と同一の符号は同一の部材を示す。
【００１８】
　図４は、請求項４に規定するように、この正月飾り１０が卓上門松５０であるものを示している。この正月飾り１０（５０）は、図４のように、前記電飾リング１１が門松の正面に配設されているが、これに限定されない。この門松は卓上門松５０であるため、家庭において机、棚等に飾ることができ、正月気分を手軽に味わうことができる。なお、図４において、前出の図１と同一の符号は同一の部材を示す。
【図面の簡単な説明】
【００１９】
【図１】この考案の一実施例に係る正月飾りの正面図である。
【図２】図１の正月飾りの要部の分解斜視図である。
【図３】この考案の正月飾りの他の実施例を示す正面図である。
【図４】この考案の正月飾りのさらに別の実施例を示す正面図である。
【符号の説明】
【００２０】
　１０　正月飾り
　１０Ａ，１０Ｂ　輪しめ縄
　１１　電飾リング
　５０　卓上門松
【図１】
0003099228.tif 000003
【図２】
0003099228.tif 000004
【図３】
0003099228.tif 000005
【図４】
0003099228.tif 000006